(57)【要約】【課題】サーバからのジョブの取得から処理完了までのジョブの処理状況を、ユーザが容易に把握できる画像処理装置等を提供する。【解決手段】ネットワーク４を介して接続されているサーバ３に蓄積されるとともに、ジョブＩＤを付与された１個または複数個のジョブのリストを取得するジョブリスト取得手段１１と、取得したジョブリストを表示する表示手段１８２と、表示されたジョブのリストの中の少なくとも一つのジョブのリンク先に格納されているジョブデータを取得するジョブデータ取得手段１１と、取得したジョブデータを処理するためのジョブ処理手段１７を備え、取得したジョブデータの処理状況を、ジョブに付与されたジョブＩＤを基に取得して、ジョブを示すサーバ３側の表示データと合成して表示手段１８２に表示させる。【選択図】  図３
2010262607.tif 000002
【特許請求の範囲】
【請求項１】
ネットワークを介して接続されているサーバに蓄積されるとともに、ジョブＩＤを付与された１個または複数個のジョブのリストを取得するジョブリスト取得手段と、
前記取得したジョブのリストを表示する表示手段と、
前記表示手段に表示されたジョブのリストの中の少なくとも一つのジョブのサーバにおけるリンク先に格納されているジョブデータを取得するジョブデータ取得手段と、
前記サーバから取得したジョブデータを処理するためのジョブ処理手段と、
前記サーバから取得したジョブデータの前記ジョブ処理手段による処理状況を、前記ジョブに付与されたジョブＩＤを基に取得するジョブ処理状況取得手段と、
前記ジョブ処理状況取得手段により取得されたジョブデータの処理状況を、前記表示手段に表示されたジョブを示すサーバ側の表示データと合成して前記表示手段に表示させる表示制御手段と、
を備えていることを特徴とする画像処理装置。
【請求項２】
前記表示手段には、ジョブのリストの中からジョブが選択された後、ジョブのリンク先からジョブデータが取得されるまでは、ジョブを示すサーバ側の表示データとともにリンク先の情報が表示され、ジョブデータの取得によりリンク先の情報が表示手段から削除され、
前記ジョブ処理手段は、前記リンク先の情報が削除されたことを確認して、取得したジョブデータを処理する請求項１に記載の画像処理装置。
【請求項３】
前記ジョブ処理状況取得手段は、定期的にジョブ処理状況を取得する請求項１または２に記載の画像処理装置。
【請求項４】
前記ジョブＩＤは前記サーバにジョブデータを送信した情報処理装置のプリンタドライバによって生成されると共に、前記生成されたジョブＩＤ及びサーバ側で予定されているジョブの表示データを、前記サーバからのジョブデータの取得前に前記情報処理装置から予め受信する受信手段を備え、
前記受信手段によりジョブＩＤ及びサーバ側の表示データを予め受信した場合は、前記表示制御手段は、前記表示手段にジョブを示すサーバ側の表示データとともにジョブデータが未取得である旨を表示させる請求項１〜３のいずれかに記載の画像処理装置。
【請求項５】
前記ジョブリスト取得手段は、前記ジョブデータ取得手段によるジョブデータの取得に際してサーバで障害が発生している場合には、サーバから障害情報を取得し、
前記表示制御手段は、取得された障害情報に基づいて前記表示手段に障害が発生したことを表示させる請求項１〜４のいずれかに記載の画像処理装置。
【請求項６】
ネットワークを介して接続されているサーバに蓄積されるとともに、ジョブＩＤを付与された１個または複数個のジョブのリストを取得するジョブリスト取得ステップと、
前記取得したジョブのリストを表示手段に表示するステップと、
前記表示手段に表示されたジョブのリストの中の少なくとも一つのジョブのサーバにおけるリンク先に格納されているジョブデータを取得するジョブデータ取得ステップと、
前記サーバから取得したジョブデータを処理するためのジョブ処理ステップと、
前記サーバから取得したジョブデータの前記ジョブ処理ステップにおける処理状況を、前記ジョブに付与されたジョブＩＤを基に取得するジョブ処理状況取得ステップと、
前記ジョブ処理状況取得ステップにおいて取得されたジョブデータの処理状況を、前記表示手段に表示されたジョブを示すサーバ側の表示データと合成して前記表示手段に表示させる表示制御手段と、
を備えていることを特徴とする画像処理装置におけるジョブ処理状況表示方法。
【発明の詳細な説明】
【技術分野】
【０００１】
この発明は、例えばネットワーク上のサーバに保持されているジョブを取得して印刷する、いわゆるプルプリントと称されるような機能を有するプリンタ、多機能デジタル複合機であるＭＦＰ（Multi Function Peripherals）等の画像処理装置、及び同装置におけるジョブ処理状況表示方法に関する。
【背景技術】
【０００２】
従来、例えば、サーバ上のジョブを取得して上記のようなプルプリント等を行う場合、画像処理装置の画面上には、サーバにおける画面が表示されるようになっており、この画面表示により、サーバからのジョブ情報を画像処理装置に送信済か否かをユーザは把握することが可能である。
【０００３】
また、従来、例えばファクシミリ装置等において、サーバに保存してあるジョブ情報をクライアント端末からの閲覧要求に応じて送出し、クライアント端末でまとめて閲覧でき、また、サーバにおいて、データ送信に係る互いに対応する送信側ジョブ情報と受信側ジョブ情報を検索し、クライアント端末でまとめて送信することにより、該クライアント端末では、送信側ジョブ情報と受信側ジョブを対比させて閲覧表示できるようにした技術が開示されている（例えば、特許文献１参照）。
【先行技術文献】
【特許文献】
【０００４】
【特許文献１】特開２００５−１４２７９８号公報
【発明の概要】
【発明が解決しようとする課題】
【０００５】
しかし、上記従来技術においては、画像処理装置の画面上にサーバにおける画面が表示されるだけであり、サーバから取得後のジョブの処理状況が表示されないので不便である。
【０００６】
一方、画像処理装置の本体画面に切り換えれば、ジョブの処理状況を表示させることが可能であるが、サーバから取得したジョブについての処理状況の表示であるかどうか分かり難いという問題がある。
【０００７】
このような問題は、前記特許文献１に記載された技術によっても解決することはできなかった。
【０００８】
この発明は、上記実情に鑑みてなされたものであり、サーバからのジョブの取得から処理完了までのジョブの処理状況を、ユーザが容易に把握できる画像処理装置を提供し、さらに画像処理装置におけるジョブ処理状況表示方法を提供することを課題とする。
【課題を解決するための手段】
【０００９】
上記課題は、以下の手段によって解決される。
（１）ネットワークを介して接続されているサーバに蓄積されるとともに、ジョブＩＤを付与された１個または複数個のジョブのリストを取得するジョブリスト取得手段と、前記取得したジョブのリストを表示する表示手段と、前記表示手段に表示されたジョブのリストの中の少なくとも一つのジョブのサーバにおけるリンク先に格納されているジョブデータを取得するジョブデータ取得手段と、前記サーバから取得したジョブデータを処理するためのジョブ処理手段と、前記サーバから取得したジョブデータの前記ジョブ処理手段による処理状況を、前記ジョブに付与されたジョブＩＤを基に取得するジョブ処理状況取得手段と、前記ジョブ処理状況取得手段により取得されたジョブデータの処理状況を、前記表示手段に表示されたジョブを示すサーバ側の表示データと合成して前記表示手段に表示させる表示制御手段と、を備えていることを特徴とする画像処理装置。
（２）前記表示手段には、ジョブのリストの中からジョブが選択された後、ジョブのリンク先からジョブデータが取得されるまでは、ジョブを示すサーバ側の表示データとともにリンク先の情報が表示され、ジョブデータの取得によりリンク先の情報が表示手段から削除され、前記ジョブ処理手段は、前記リンク先の情報が削除されたことを確認して、取得したジョブデータを処理する前項１に記載の画像処理装置。
（３）前記ジョブ処理状況取得手段は、定期的にジョブ処理状況を取得する前項１または２に記載の画像処理装置。
（４）前記ジョブＩＤは前記サーバにジョブデータを送信した情報処理装置のプリンタドライバによって生成されると共に、前記生成されたジョブＩＤ及びサーバ側で予定されているジョブの表示データを、前記サーバからのジョブデータの取得前に前記情報処理装置から予め受信する受信手段を備え、前記受信手段によりジョブＩＤ及びサーバ側の表示データを予め受信した場合は、前記表示制御手段は、前記表示手段にジョブを示すサーバ側の表示データとともにジョブデータが未取得である旨を表示させる前項１〜３のいずれかに記載の画像処理装置。
（５）前記ジョブリスト取得手段は、前記ジョブデータ取得手段によるジョブデータの取得に際してサーバで障害が発生している場合には、サーバから障害情報を取得し、前記表示制御手段は、取得された障害情報に基づいて前記表示手段に障害が発生したことを表示させる前項１〜４のいずれかに記載の画像処理装置。
（６）ネットワークを介して接続されているサーバに蓄積されるとともに、ジョブＩＤを付与された１個または複数個のジョブのリストを取得するジョブリスト取得ステップと、前記取得したジョブのリストを表示手段に表示するステップと、前記表示手段に表示されたジョブのリストの中の少なくとも一つのジョブのサーバにおけるリンク先に格納されているジョブデータを取得するジョブデータ取得ステップと、前記サーバから取得したジョブデータを処理するためのジョブ処理ステップと、前記サーバから取得したジョブデータの前記ジョブ処理ステップにおける処理状況を、前記ジョブに付与されたジョブＩＤを基に取得するジョブ処理状況取得ステップと、前記ジョブ処理状況取得ステップにおいて取得されたジョブデータの処理状況を、前記表示手段に表示されたジョブを示すサーバ側の表示データと合成して前記表示手段に表示させる表示制御手段と、を備えていることを特徴とする画像処理装置におけるジョブ処理状況表示方法。
【発明の効果】
【００１０】
前項（１）に記載の発明によれば、サーバから取得したジョブデータの処理状況を、ジョブに付与されたジョブＩＤを基に取得し、取得されたジョブデータの処理状況が、表示手段に表示されたジョブを示すサーバ側の表示データと合成されて表示手段に表示される。つまり、ジョブを示すサーバ側の表示データが、サーバからジョブのリストを取得したのちジョブデータの画像処理装置での処理が完了するまで、統一的に用いられるから、ユーザは、ジョブデータの画像処理装置による処理が完了するまで、ジョブの処理状況を容易にかつ的確に把握することが可能となる。
【００１１】
前項（２）に記載の発明によれば、ジョブのリストの中からジョブが選択された後、ジョブのリンク先からジョブデータが取得されるまでは、ジョブを示すサーバ側の表示データとともにリンク先の情報が表示され、ジョブデータの取得によりリンク先の情報が表示手段から削除され、この削除を確認して、取得したジョブデータの処理が行われるから、ジョブデータを確実に取得したのちにジョブデータの確実な処理を実行することができる。
【００１２】
前項（３）に記載の発明によれば、定期的にジョブ処理状況が取得されるので、最新のジョブ処理状況を表示手段に表示することができる。
【００１３】
前項（４）に記載の発明によれば、プリンタドライバから予めジョブＩＤ及びサーバ側で予定されているジョブの表示データを受信してある場合は、サーバにジョブが存在していることを画像処理装置が認知できるから、前記ジョブＩＤを有するジョブについて、サーバからジョブデータを取得する前に、ジョブを示すサーバ側の表示データとともにデータ未取得である旨を表示手段に表示させることができる。
【００１４】
前項（５）に記載の発明によれば、ジョブデータの取得に際してサーバで障害が発生している場合には、ジョブ処理状況として、表示手段に障害が発生したことを表示させることができる。
【００１５】
前項（６）に記載の発明によれば、ユーザは、ジョブデータの画像処理装置による処理が完了するまで、ジョブの処理状況を容易にかつ的確に把握することが可能となる。
【図面の簡単な説明】
【００１６】
【図１】この発明の一実施形態に係る画像処理装置が適用された画像処理システムを示す概略構成図である。
【図２】画像処理システムにおける画像処理装置の電気的構成を示すブロック図である。
【図３】図１の画像処理システムにおいて、画像処理装置がサーバからジョブデータを取得して印刷処理する場合の概要説明図である。
【図４】画像処理装置がサーバからジョブリストを取得したのちジョブの印刷が完了するまでのジョブ処理状況の表示処理の流れを示すフローチャートである。
【発明を実施するための形態】
【００１７】
以下、この発明の一実施形態を図面に基づいて説明する。
【００１８】
図１は、この発明の一実施形態に係る画像処理装置が適用された画像処理システムを示す概略構成図である。
【００１９】
図１において、この画像処理システムは、画像処理装置としての前記ＭＦＰ１と、ＭＦＰ１を利用可能な複数のユーザ毎に割り当てられたユーザ端末、例えばパーソナルコンピュータ（ＰＣという）２・・・と、サーバ３とを備えており、これらＭＦＰ１と、ＰＣ２・・・と、サーバ３とがネットワーク４を介して接続されている。
【００２０】
前記ＭＦＰ１は、サーバ３からジョブデータを取得して印刷等の処理を実行するものである。
【００２１】
前記ＰＣ２・・・は、ユーザが印刷ジョブ等を作成してジョブデータをサーバ３上に送信できるようになっている。
【００２２】
前記サーバ３は、ユーザＰＣ２から送信されたジョブデータを図示しない格納部に格納するとともに、ジョブ（例えばジョブＡ，ジョブＢ，ジョブＣ）毎に、ジョブを特定するための識別情報であるジョブＩＤ（ジョブ１，ジョブ２，ジョブ３）を付与する。さらに、ＭＦＰ１にユーザ毎のジョブのリストを提供するためのウェブページを作成するとともに、ウェブページ上のジョブリストに示される各ジョブと、前記格納部に格納された各ジョブのジョブデータをリンクするためのリンク先情報（例えばリンク先情報Ａ、リンク先情報Ｂ、リンク先情報Ｃ）を作成する。
【００２３】
そして、ジョブＩＤと各ジョブデータと各リンク情報を関連付けて保持する。
【００２４】
図２は、前記ＭＦＰ１の電気的構成を示すブロック図である。
【００２５】
図２おいて、このＭＦＰ１は、ＣＰＵ１１と、送信部１２と、受信部１３と、記憶部１４と、スキャナ部１６と、プリンタ部１７と、操作パネル部１８と、表示合成部１９を備えている。
【００２６】
前記ＣＰＵ１１は、図示しないＲＯＭや記憶部１４等の記録媒体に格納されている動作プログラムに基づいて、ＭＦＰ１の全体動作を統括的に制御するものである。
【００２７】
前記送信部１２は、前記ＰＣ２やサーバ３へデータを送信するための制御を行い、前記受信部１３は、前記ＰＣ２やサーバ３からのデータを受信する制御を行う。
【００２８】
前記記憶部１４は、サーバ３から取得したジョブデータや、ＰＣ２から直接に送信されてきたジョブデータ、その他のデータを記憶するものであり、ハードディスク装置等が用いられている。
【００２９】
前記スキャナ部１６は、原稿画像を読み取って画像データを出力するものである。
【００３０】
前記プリンタ部１７は、印刷ジョブにおける画像データを印刷設定情報に従って印刷するものである。
【００３１】
前記操作パネル部１８は、スタートボタンやテンキー等を有するキー部１８１と、タッチパネル式の液晶表示装置等からなる表示部１８２とを備えている。
【００３２】
この表示部１８２には、各種入力画面やメッセージが表示される他、プルプリントモード時にサーバ３からの表示データや、サーバ３から取得されたジョブデータに対するＭＦＰ１の処理状況（ステータス情報ともいう）が更新可能に表示される。
【００３３】
前記表示合成部１９は、サーバ３上のウェブページから取得して表示部に表示されたジョブリストに示される各ジョブの表示データと、ＭＦＰ１側でのステータス情報を合成する機能を有しており、この合成されたデータが、操作パネル部１８の表示部１８２に表示されるものとなされている。
【００３４】
図３は、図１の画像処理システムにおいて、プルプリント即ちＭＦＰ１がサーバ３からジョブデータを取得して印刷処理する場合の概要説明図である。
【００３５】
図３においては、ユーザがＰＣ２からサーバ３に印刷ジョブ（例えば、ジョブＡ、ジョブＢ、ジョブＣ）を送信したのち、ユーザがＭＦＰ１にログインしてサーバ３上のジョブを選択し、もしくはジョブを選択することなく全てのジョブについて、Pullプリントする場合を説明する。
［丸数字１］
ユーザがＰＣ２からサーバ３上に印刷ジョブ（例えば、ジョブＡ、ジョブＢ、ジョブＣ）を送信すると、サーバ３では各ジョブデータを所定の格納部に格納するとともに、各ジョブ（Ａ，Ｂ，Ｃ）毎にジョブＩＤを付与し、各ジョブのリストをまとめたウェブページを作成するとともに、各ジョブとジョブデータの格納先とをリンクするリンク先情報を作成する。そして、ジョブＩＤ、ジョブデータ、リンク先情報等を関連付けて保持する。
【００３６】
例えば、ジョブＡについては
ジョブID＝１  ジョブデータＡ  リンク先情報Ａ（URL http://hogehoge/job1.html)
が保持される。
【００３７】
同様に、ジョブＢ、ジョブＣについてはそれぞれ、
ジョブID＝２  ジョブデータＢ  リンク先情報Ｂ（URL http://hogehoge/job2.html)
ジョブID＝３  ジョブデータＣ  リンク先情報Ｃ（URL http://hogehoge/job3.html)
が保持される。
［丸数字２］
ユーザがＭＦＰ１を操作してログインしてから、プルプリント操作を行うと、ＭＦＰ１の表示部１８２に、プルプリント画面として、サーバ３のウェブページに保持されているユーザのジョブリストが表示される。図３の例では、ジョブＡ、ジョブＢ、ジョブＣという表示データで表示されている。
［丸数字３］
ユーザがジョブリストの表示画面を参照してジョブを選択してプリントを要求すると、サーバ３はジョブにリンクしている格納先からジョブデータを読み出して、ＭＦＰ１に送信し、ＭＦＰ１はこのジョブデータを受信する。
［丸数字４］
これに伴って、ジョブのステータス情報が更新される。
【００３８】
具体的には、ＭＦＰ１は、ジョブデータの取得を開始するとともに、ジョブＩＤに基づいてＭＦＰ１内に取り込んだジョブの中に同じジョブＩＤのジョブが有るかどうかを確認し、同じジョブＩＤのジョブなければ、処理中ジョブの表示画面に「取得中」を表示する。即ち、サーバ３側のジョブの表示データとＭＦＰ１側の「取得中」とが合成されて、表示部１８２に表示される。
［丸数字５］
ジョブデータの取得が完了すると、リンク先の情報（job1.html)が削除されることにより、リンクエラーとなり、「取得中」の表示を消去する。
【００３９】
例えば、ジョブＡについては、「ジョブＡ取得中( ジョブ情報Ａ job1.htmlへのリンク) 」が「ジョブＡ」のように表示される。
【００４０】
ここまでは、前記サーバ３からの表示データを基にＭＦＰ１側のステータス情報を合成して表示している状況であり、以下は、ＭＦＰ１内での処理状況を基に、サーバ３側でのジョブの表示データを合成して表示している状況である。
［丸数字６］
ＭＦＰ１は、選択したジョブのデータ取得が完了すると、ジョブＩＤに基づいて自身が処理中のジョブを検索し、前記表示部１８２に、ジョブＩＤに対応するジョブのステータス情報を表示する。この後、ジョブの印刷が実行される。
【００４１】
受信したジョブＩＤに対応するジョブの表記は、処理中のＭＦＰ１内の情報を照合し、印刷状態を確認する表示画面に切り替わり、例えば、「１．ジョブＡ  印刷中」と表示される。この画面表示で「１．ジョブＡ」がサーバ３でのジョブリストにあるサーバ３側の表示であり、「印刷中」がＭＦＰ１で表示された「１．ジョブＡ」のステータス情報である。つまり、これにより両者が合成表示されることになる。
【００４２】
印刷が完了すると、同様の合成処理により、前記処理中ジョブの表示画面に「印刷完了」が表示される。一方、印刷完了に伴って、印刷完了したジョブの表示が順次ジョブリストから削除される。サーバ３においてもジョブが消去されても良い。
【００４３】
図４は、ＭＦＰ１がサーバ３からジョブリストを取得したのちジョブの印刷が完了するまでのステータス情報の表示処理の流れを示すフローチャートである。
【００４４】
図４において、まず、ユーザがＰＣ２からサーバ３にジョブ（例えば、ジョブＡ、ジョブＢ、ジョブＣ）を送信する。
【００４５】
サーバ３は、ＰＣ２からの印刷ジョブを受信すると、各ジョブデータを格納部に格納し、ステップＳ１でリンク情報等を作成する。
【００４６】
ステップＳ２で、ユーザがＭＦＰ１を操作してログインし、ステップＳ３でプルプリントモードを選択すると、ステップＳ４ではサーバ３からユーザに関連するジョブのリストがＭＦＰ１に送信され、ＭＦＰ１はこれを取得する。ステップＳ５では、ＭＦＰ１の表示部１８２にジョブリストが表示される。
【００４７】
ユーザが、ステップＳ６で、ＭＦＰ１の表示部１８２に表示されたジョブリストから所望のジョブを選択してプルプリントを要求すると、ステップＳ７で、サーバ３は選択されたジョブに対応するジョブデータをＭＦＰ１に送信するとともに、ＭＦＰ１の表示部１８２に表示させるためのジョブリストを更新してＭＦＰ１に送信する。つまり、「ジョブＡ」の表示データに「リンク先情報へのリンク」中であることを示す表示（図３の丸数字４参照）を付した状態に更新して、ＭＦＰ１に送信する。
【００４８】
ＭＦＰ１は、ステップＳ８で、サーバ３からの表示データにステータス情報「取得中」を合成して、表示部１８２に表示する。
【００４９】
ジョブデータの送信が完了すると、ステップＳ９で、サーバ３はジョブリストを更新する。つまりリンク先情報を削除する。
【００５０】
これにより、ＭＦＰ１はステップＳ１０で、ステータス情報「取得中」を削除する（図３の丸数字５参照）。
【００５１】
ＭＦＰ１は、リンク先情報が削除されたことによりジョブデータの送信が完了したことを確認し、ステップＳ１１でジョブＡの印刷処理を実行する。このように、リンク先情報が表示部１８２から削除され、この削除を確認して、取得したジョブデータの処理が行われるから、ジョブデータを確実に取得したのちにジョブデータの処理を確実に実行することができる。
【００５２】
そして、ＭＦＰ１はジョブに付与されたジョブＩＤを基に定期的にＭＦＰ１内での印刷状況を取得し、ステップＳ１１、ステップＳ１２で、取得したステータス情報をサーバ３で表示されたジョブのサーバ側の表示データに合成して、表示部１８２に表示する。
【００５３】
ステップＳ１４で印刷が完了すると、ジョブ完了のステータス情報が合成されて、ステップＳ１５で表示部１８２に表示される。
【００５４】
このように、ＭＦＰ１は、サーバ３から取得したジョブデータのＭＦＰ１での処理状況を、ジョブに付与されたジョブＩＤを基に取得し、取得されたジョブデータの処理状況が、表示部１８２に表示されたジョブを示すサーバ側の表示データと合成されて表示されることになる。つまり、ジョブを示す表示データは、サーバ３からジョブのリストを取得したのちジョブデータのＭＦＰ１での印刷処理が完了するまで、統一的に用いられるから、ユーザは、ジョブデータの印刷処理が完了するまで、ジョブの処理状況を容易にかつ的確に把握することが可能となる。
【００５５】
ジョブＢ、ジョブＣについても同様の処理が行われる。
【００５６】
なお、この実施形態では、ユーザのＰＣ２からサーバ３にジョブを送信した際、サーバ３でジョブＩＤを作成する例を説明したが、ＰＣ２における専用のプリンタドライバを用い、該プリンタドライバでジョブＩＤを作成するとともに、ＰＣ２からジョブをサーバ３に送信すると同時に、ＭＦＰ１にジョブＩＤ及びサーバ３側で予定されているジョブの表示データ（例えばジョブリスト）を送っておくように構成してもよい。これにより、サーバ３にジョブが存在していることをＭＦＰ１が認知できるから、前記ジョブＩＤを有するジョブについて、サーバからジョブデータを取得する前に、ジョブを示すサーバ３側の表示データとともにデータ未取得である旨を表示部１８２に表示させることができる。
【００５７】
この場合、ジョブＩＤや表示データだけでなく、ジョブの詳細データ、具体的には印刷設定データ（ページ数、出力モード等）等も、ＭＦＰ１に予め送っておくことで、事前にジョブの処理予測時間を算出することができ、ユーザがＭＦＰ１の表示部１８２でジョブリストを表示させた時に、それを併せて表示することが可能となる。
【００５８】
また、サーバ３が、ジョブデータのＭＦＰ１への送信に関して異常が発生した場合に、障害情報にリンクするように構成されている場合は、ＭＦＰ１は前記障害情報をサーバ３から取得して、障害が発生したことを表示部１８２に表示することが可能となる。
【００５９】
また、ＭＦＰ１はサーバ３からジョブリストを取得する際に、ページ数、出力モード等の設定データも同時に取得するようにすれば、ＭＦＰ１内の処理能力やステータス情報を合成して、処理予測時間を算出し、これも合成して表示することができる。
【００６０】
サーバ３上に、複数ジョブが蓄積されている場合には、最初にジョブリストと設定データを取得することにより、処理予測時間を算出し、ジョブリストに合成して表示することが可能となる。
【符号の説明】
【００６１】
１      画像処理装置（ＭＦＰ）
２      ユーザ端末（ＰＣ）
３      サーバ
４      ネットワーク
１１    ＣＰＵ
１３    受信部
１４    記憶部
１７    プリンタ部
１８    操作パネル部
１８２  表示部
１９    データ合成部
【図１】
2010262607.tif 000003
【図２】
2010262607.tif 000004
【図３】
2010262607.tif 000005
【図４】
2010262607.tif 000006